(57)【要約】【課題】フィルタ等を用いることなく、外気に混入しているゴミ等を除去しつつ外気を取り入れることを可能としたベントキャップを提供すること。【解決手段】略中央部近傍に換気口３０１が形成された取付側ベース３と、側壁部４を介して取付側ベース３に連設された正面側ベース５と、側壁部４の下端部近傍に形成した排出口４０１と、を備えた無底のベントキャップ本体２と、ベントキャップ本体２内に配設された、ベントキャップ本体２内に略渦巻き状の換気路７を形成するとともに、換気路７の任意の箇所を前記排出口４０１に連通させて排出路８を形成した、長手方向に沿った両端部を前記取付側ベース３及び正面側ベース５に連設させた遮蔽板６と、前記換気口３０１と正面側ベース５間に空隙１０が形成されるようにして取付側ベース３に連設された略円筒状の換気部９を具備した。【選択図】図１
2005274086.tif 000002
【特許請求の範囲】
【請求項１】
建物の外壁に形成した通風口を閉鎖する配置で前記外壁に装着される取付側ベース（３）と、側壁部（４）を介して前記取付側ベース（３）に連設される正面側ベース（５）と、前記取付側ベース（３）における、取付側ベース（３）を外壁に取り付けた際に通風口に対応した箇所に形成された換気口（３０１）と、前記側壁部（４）の下端部近傍に形成した排出口（４０１）と、を備えた無底のベントキャップ本体（２）と、
前記ベントキャップ本体（２）内に配設された、前記ベントキャップ本体（２）内に略渦巻き状の換気路（７）を形成するとともに、換気路（７）の任意の箇所を前記排出口（４０１）に連通させて排出路（８）を形成した、長手方向に沿った両端部を前記取付側ベース（３）及び正面側ベース（５）に連設させた遮蔽板（６）と、
前記換気口（３０１）と前記正面側ベース（５）間に、下端部を取付側ベース（３）に連設しつつ先端部と正面側ベース（５）との間に空隙（１０）が形成されるように配設された、中空かつ下端部及び先端部を開口とした換気部（９）と、を具備したことを特徴とするベントキャップ。
【請求項２】
前記遮蔽板（６）は、換気路（７）の一部を形成するとともに排出路（８）の下側を形成した第１の遮蔽板（６ａ）と、換気路（７）の一部を形成するとともに排出路（８）の上側を形成した第２の遮蔽板（６ｂ）とにより構成されることを特徴とする請求項１に記載のベントキャップ。
【発明の詳細な説明】
【技術分野】
【０００１】
本発明は、外壁に形成された通風口に装着される換気用のベントキャップに係り、より詳しくは、屋内へのゴミ等の侵入を有効に防止可能なベントキャップに関する。
【背景技術】
【０００２】
一般的に、建造物等の場合には、建物内の換気のために、建物の外壁に通風口を設けられており、また、この通風口には、建物内に雨水等が浸入することを防止するためにベントキャップが装着されることが行われている。
【０００３】
ここで、図４は、従来から一般的に用いられているベントキャップであり、図において３１がベントキャップである。そして、このベントキャップ３１は、換気口３５が形成された取付ベース３２を備えており、この取付ベース３２は、建物の外壁に形成された通風孔を閉鎖するようにして、外壁の屋外側に装着され、これにより通風口と換気口３５とは連通状態とされる。
【０００４】
また、この取付ベース３２には、通風口への雨水等の侵入を防止するための中空のキャップ部３３が連設されており、このキャップ部３３には、下側に向けて開口部３４が形成されている。
【０００５】
そして、キャップ部３３に形成した開口部３４を介して、建物内に外気を取り込むことを可能としており、その際に、開口部３４を下側に向けているために雨水等の侵入を防止することを可能としている。
【特許文献１】特開２０００−３１０４３６号公報
【発明の開示】
【発明が解決しようとする課題】
【０００６】
ところで、前述した従来のベントキャップでは、開口部３４より取り入れた外気をそのまま建物内に導入しているために、外気とともにゴミ等をも取り入れてしまうという問題点が指摘されている。
【０００７】
この点、図４において３６で示すように、換気口３５の近傍にフィルタ３６を具備することも行われているが、その一方、換気を十分に行うためには粗いフィルタを用いる必要があるため、このフィルタ３６によって外気に混入するゴミ等を十分に除去することは困難である。
【０００８】
また、フィルタを備えた場合には、定期的にフィルタの清掃等を行う必要があり、あるいは目詰まり等がひどい場合にはフィルタの交換が必要であり、メンテナンスが面倒であるとともに、メンテナンスに要するコストも大きくなってしまう。
【０００９】
そこで、本発明は、フィルタ等を用いることなく、外気に混入しているゴミ等を除去しつつ建物内に外気を取り入れることを可能としたベントキャップを提供することを課題としている。
【課題を解決するための手段】
【００１０】
本発明のベントキャップは、建物の外壁に形成した通風口を閉鎖する配置で前記外壁に装着される取付側ベースと、側壁部を介して前記取付側ベースに連設される正面側ベースと、前記取付側ベースにおける、取付側ベースを外壁に取り付けた際に通風口に対応した箇所に形成された換気口と、前記側壁部の下端部近傍に形成した排出口と、を備えた無底のベントキャップ本体と、
前記ベントキャップ本体内に配設された、前記ベントキャップ本体内に略渦巻き状の換気路を形成するとともに、換気路の任意の箇所を前記排出口に連通させて排出路を形成した、長手方向に沿った両端部を前記取付側ベース及び正面側ベースに連設させた遮蔽板と、
前記換気口と前記正面側ベース間に、下端部を取付側ベースに連設しつつ先端部と正面側ベースとの間に空隙が形成されるように配設された、中空かつ下端部及び先端部を開口とした換気部と、を具備したことを特徴としている。
【発明の効果】
【００１１】
本発明のベントキャップにおいては、無底としたベントキャップ本体下部からベントキャップ本体内に取り入れられた外気は、略渦巻き状とした換気路を通った後にベントキャップ本体の中央部分に導入される。そしてその後、換気部の先端部と正面側ベースとの間に形成された空隙を介して換気部内に入り込んだ後に、取付側ベースに形成した換気口、及び外壁の通風口を通って建物内に取り入れられる。
【００１２】
そして、このとき、本発明のベントキャップでは、ベントキャップ本体内に略渦巻き状の換気路を形成するとともに、換気路の任意の箇所を前記排出口に連通させて排出路を形成しているため、外気が換気路を通過する際に、外気とともにベントキャップ内に入り込んだゴミ等は、遠心力によって排出路上に落下し、その後排出口から排出される。
【００１３】
このように、本発明のベントキャップでは、ベントキャップ本体内に略渦巻き状の換気路を形成するとともにこの換気路に連通した排出路を設け、これにより、ベントキャップ内において外気を渦巻き状に移動させ、外気のみを建物内に取り入れ、外気に混入したゴミ等は遠心力により排出可能としているため、フィルタを用いることなく、外気に混入したゴミ等を除去しつつ、外気を直接的に建物内に取り入れることが可能である。
【発明を実施するための最良の形態】
【００１４】
本発明のベントキャップでは、無底の略箱型形状としたベントキャップ本体を備えており、このベントキャップ本体における外壁に取り付けられる側には、外壁に形成した通風口と連通可能な配置で換気口が形成されている。
【００１５】
また、ベントキャップ本体内には２枚の遮蔽板が配設されており、この２枚の遮蔽板により、ベントキャップ本体内には、略渦巻き状の換気路が形成されるとともに、この換気路に連通した排出路が形成され、排出路は、ベントキャップ本体における側壁の下端部近傍に形成した排出口に連通されている。
【００１６】
更に、ベントキャップ本体内には、換気口に連通した略円筒形状の換気部が配置されており、この換気部における反換気口側端部とベントキャップ本体との間には僅かに空隙が形成されている。
【実施例１】
【００１７】
本発明のベントキャップの実施例について図面を参照して説明すると、図１は本実施例のベントキャップを示す斜視図であり、図１においては一部を切り欠いて示している。また、図２は本実施例のベントキャップの縦断正面を示す図であり、更に、図３は図１におけるＡ−Ａ線断面図である。そして、そして、図において１が本実施例のベントキャップであり、このベントキャップ１は、無底の略箱型形状としたベントキャップ本体を備えている。
【００１８】
即ち、図において２がベントキャップ本体であり、本実施例においてこのベントキャップ本体２は、任意の形状とした板状の取付側ベース３を備えており、この取付側ベース３の略中央部近傍部分には換気口３０１が形成され、使用に際しては、外壁に形成された通風口と前記換気口３０１とが連通可能な配置で、前記取付側ベース２０１が建物の外壁に装着される。
【００１９】
次に、この取付側ベース３における左右側縁部及び上側縁部には、取付側ベース３の面に立設するような配置で、略逆Ｕ字形状に変形させた長板状の側壁部４が連設されており、この側壁部４における一方の下端部近傍には排出口４０１が形成されている。
【００２０】
そして、前記側壁部４の反取付側ベース端部には、前記取付側ベース３とほぼ同一の形状寸法を有する正面側ベース５が連設されており、これにより、本実施例において前記ベントキャップ本体２は、底部を開口とした、無底の略箱型形状としている。なお、図１においては、ベントキャップ本体２内の構造を理解容易にするために、正面側ベース５の一部を切り欠いて示している。
【００２１】
次に、ベントキャップ本体２内には２枚の遮蔽板６ａ、６ｂが備えられており、この２枚の遮蔽板６ａ、６ｂによって、前記ベントキャップ本体２内には略渦巻き状の換気路７が形成されている。
【００２２】
即ち、第１の遮蔽板６ａは、前記排出口４０１の下方側から立ち上がって、前記換気口３０１を周回するような曲線状を描きながら、換気口３０１の上方部分を覆った後に、換気口３０１の斜め上近傍で終端とされている。
【００２３】
次に、第２の遮蔽板６ｂは、前記排出口４０１の上方側から、下側に凸とした湾曲面を描きながら前記第１の遮蔽板６ａ側に向かって下がっていき、第１の遮蔽板６ａとの間に空隙を残した位置で終端とされている。
【００２４】
また、第１の遮蔽板６ａ、第２の遮蔽板６ｂともに、その長手方向に沿った両端は、取付側ベース３及び正面側ベース５に連設している。
【００２５】
そしてこれにより、ベントキャップ本体２内には、第１の遮蔽板６ａと第２の遮蔽板６ｂとにより、密閉された略渦巻き状の空間（「換気路７」）が形成され、更に、第１の遮蔽板６ａにおける立ち上がり部分近傍の上面と第２の遮蔽板６ｂの下面とにより、前記換気路７に連通するとともに前記側壁部４に形成した排出口４０１に連通した排出路８が形成されている。
【００２６】
次に、ベントキャップ本体２内には排気部９が備えられており、この排気部９は、略円筒形状としており、その一端部が前記換気口３０１に連通するような配置で前記取付側ベース２に連設されている。そして、他端は、前記正面側ベース５との間に僅かに空隙１０が形成されるように配置されている。そのため、この空隙１０介して、前記換気路７より導入された外気を換気部９内に取り込むとともに、この取り込んだ外気を、換気口３０１及び外壁に形成された通風口を介して建物内に取り入れることが可能となる。
【００２７】
次に、このように構成される本実施例のベントキャップ１の作用について図２を参照して説明すると、本実施例のベントキャップ１では、ベントキャップ本体２の底部の開口から外気が入り込んでくると、まずこの外気は、矢印Ｂに示すようにして、換気路７を通って渦巻き状に移動しつつ、ベントキャップ本体２の中央部分に到達し、換気部９と正面側ベース５との間の空隙１０を通って換気部９内に入り込み、その後は、換気口３０１を通って建物内に入っていく。
【００２８】
一方、外気にゴミ等が混入している場合において、この外気に混入しているゴミ等は、外気とともに渦巻き状に換気路７内を移動するとともに、遠心力によって、換気路７の外側へ移動しつつ換気路７内を移動していく。即ち、まず、側壁部４の内側に当接しつつ移動し、その後、矢印Ｃで示すように、第２の遮蔽板６ｂ上に落下しつつ移動していき、第２の遮蔽板６ｂの終端部を越えた後に、排出路８の下側を形成している第１の遮蔽板６ａの立ち上がり部分上に落下しつつ排出口３０１より排出される。あるいは、排気部９の周りを周回した後に再び第２の遮蔽板６ｂ上に落下するとともに、第２の遮蔽板６ｂの終端部を越えた後に、排出路８の下側を形成している第１の遮蔽板６ａの立ち上がり部分上に落下しつつ排出口３０１より排出される。そのため、本実施例のベントキャップ１では、フィルタを具備すること無く、ゴミを除去しつつ外気のみを建物内に取り入れることができる。
【００２９】
このように、本実施例のベントキャップでは、ベントキャップ本体内に略渦巻き状の換気路を形成するとともに、この換気路の一部を排出路に連通し、外気が換気路を通過する際の遠心力を利用してゴミ等を除去可能としているため、特にフィルタ等を用いることなくゴミ等を除去することが可能であり、ベントキャップのメンテナンスが容易であるとともにメンテナンスのコストを抑えることも可能である。
【００３０】
なお、前述の実施例では、２枚の遮蔽板６ａ、６ｂを用いてベントキャップ本体２内に略渦巻き状の換気路を形成した場合について説明したが、遮蔽板は必ずしも２枚用いる必要は無く、ベントキャップ本体内に略渦巻き状の換気路を形成するとともにこの換気路に連通した排出路を形成可能であれば、１枚あるいは３枚以上の遮蔽板を用いてもよい。
【００３１】
また、ベントキャップ本体の形状寸法は特に限定されず、いずれの形状寸法としてもよい。
【産業上の利用可能性】
【００３２】
本発明は、建物内の換気の際に、ゴミを除去しつつ外気を取り入れることを可能としているために、換気に用いるベントキャップのすべてに適用可能である。
【図面の簡単な説明】
【００３３】
【図１】ベントキャップの実施例を示した一部切欠斜視図である。
【図２】ベントキャップの実施例の縦断正面を示した図である。
【図３】図１におけるＡ−Ａ線断面図である。
【図４】従来のベントキャップを説明するための図である。
【符号の説明】
【００３４】
１    ベントキャップ
２    ベントキャップ本体
３    取付側ベース
３０１    換気口
４    側壁部
４０１    排出口
５    正面側ベース
６ａ、６ｂ    遮蔽板
７    換気路
８    排出路
９    排気部
１０    空隙
【図１】
2005274086.tif 000003
【図２】
2005274086.tif 000004
【図３】
2005274086.tif 000005
【図４】
2005274086.tif 000006